(57)【特許請求の範囲】
【請求項１】
停電になったとき電源が喪失する電子式コントローラによって制御されるとともに開閉接点が開路する電磁操作式の開閉器において、
前記コントローラは記憶手段と書込み手段と比較手段とを有し、
前記記憶手段は書き換え自在の不揮発性の記憶手段であって、それぞれ前記開閉器の開閉状態の情報と属性情報とを対として前記開閉器が開閉される毎に順次書き込まれる複数に分割された記憶スペースを有し、
前記書込み手段は、多数回の前記開閉器の開閉操作に対して前記記憶手段の１番目の前記記憶スペースから最後の記憶スペースまで順次循環して前記両情報を書き込むものであって、前記複数の記憶スペースへの書き込みが一巡するまで全ての前記スペースに対して２種類ある前記属性情報の一方を書き込み、一巡する毎に属性情報を切り換えて属性情報を書き込み、
前記比較手段は、停電した後復電したとき、前記記憶手段に書き込まれたｎ番目と（ｎ＋１）番目の前記記憶スペースの前記属性情報を比較し、異なっているときｎ番目の前記記憶スペースに書き込まれている開閉状態を読み取って前記開閉器に操作信号を出力することを特徴とする電磁操作式の開閉器。
【請求項２】
前記それぞれの書き込みスペースは１バイトからなることを特徴とする請求項１の電磁操作式の開閉器。
【発明の詳細な説明】
【０００１】
【発明の属する技術分野】
この発明は、停電したとき開路する電磁操作式の開閉器において、復電したとき停電前の状態に自動的に復帰させる技術に関する。
【０００２】
【従来の技術】
頻繁にＯＮ−ＯＦＦされる負荷の電源開閉器としては、開閉寿命の長い電磁石を操作して接点を開閉する電磁操作式の開閉器を採用する場合が多い。このような負荷に対して、例えば安全上の理由から停電した後復電したとき停電前の状態に自動的に復帰するようにと要求されるときがある。このような要求を電磁石と接点のみからなる単純な電磁操作式の開閉器で実現することは不可能である。
【０００３】
【発明が解決しようとする課題】
電磁操作式の開閉器の中には、特開平２−１３６０７９号公報に開示されているように、ＣＰＵを備えて、開閉指令に応じて電磁石を操作して主回路の接点を開閉したり過電流保護を行ったりする多機能のものもあるが、前述のような要求を満足するものはなかった。
【０００４】
このようにＣＰＵを利用した開閉器においては、ＥＥＰＲＯＭと呼ばれる書き換え自在の不揮発性の記憶手段を設けて常に開閉器の開閉状態を記憶させ、ＯＮ操作やＯＦＦ操作が行われる毎にその記憶内容を書きかえておけば、停電した後復電したとき、記憶内容を読み取って開閉器を記憶内容に基づいて操作すれば容易に停電前の状態に戻すことができる。
【０００５】
しかし、このような開閉器には数十万回という極めて多数回の開閉操作が行われことがあるにもかかわらず、ＥＥＰＲＯＭの書き換え寿命は１万回程度であり双方の寿命が整合しないという問題が有った。
【０００６】
したがって、本発明は、復電後、停電前の開閉状態に自動的に復帰させることができる多数回の開閉寿命を有する電磁操作式の開閉器を提供することにある。
【０００７】
【課題を解決するための手段】
上記の問題を解決するために、本発明は、停電になったとき電源が喪失する電子式コントローラによって制御されるとともに開閉接点が開路する電磁操作式の開閉器において、コントローラは記憶手段と書込み手段と比較手段とを有し、記憶手段は書き換え自在の不揮発性の記憶手段であって、それぞれ開閉器の開閉状態の情報と属性情報とを対として開閉器が開閉される毎に順次書き込まれる複数に分割された記憶スペースを有し、書込み手段は、多数回の開閉器の開閉操作に対して記憶手段の１番目の記憶スペースから最後の記憶スペースまで順次循環して両情報を書き込むものであって、複数の記憶スペースへの書き込みが一巡するまで全てのスペースに対して２種類ある属性情報の一方を書き込み、一巡する毎に属性情報を切り換えてを書き込み、比較手段は、停電した後復電したとき、記憶手段に書き込まれたｎ番目と（ｎ＋１）番目の記憶スペースの属性情報を比較し、異なっているときｎ番目の記憶スペースに書き込まれている開閉状態を読み取って開閉器に操作信号を出力することとしている。
【０００８】
このような構成により開閉操作をする毎に書き込みスペースが異なるため記憶装置の書き換え寿命に記憶スペースの分割数を乗じた回数の開閉回数に対応できる。さらに、停電前の状態は、書込みが複数の記憶スペースに順番に行われることと、一巡するまでは書き込まれる属性情報が各スペース同じであり、一巡するごとに書き込まれる属性情報が切り換わるため、１番目の記憶スペースから順番に属性情報を比較したとき属性情報が切り換わった直前の記憶内容が停電前の状態であることが読み取れる。
【０００９】
【発明の実施の形態】
本発明の実施の形態を、図１ないし図５に示される実施例において説明する。この開閉器は、図示はしないが主回路の開閉接点と、励磁しているときだけこの開閉接点をＯＮにする操作電磁石と図１にその構成が図示されているコントローラを備えている。このコントローラは、開閉器を操作するＯＮ ＳＷ・ＯＦＦ ＳＷ及び復電したとき自動的に停電前の状態に復帰させる（以下、復電時再起動という。）かどうかの選択スイッチ、それらの信号をＣＰＵに入力するためのＳＷ入力回路、ＥＥＰＲＯＭを含み入力信号を処理するＣＰＵ、開閉器の操作電磁石を励磁したり無励磁にするＭＣ制御Ｒｙ、ＣＰＵの処理に応じてＭＣ制御Ｒｙを制御するＲｙ駆動回路などを含んでいる。
【００１０】
図２はこのコントローラの動作の概略フロー図であり、入力信号の監視や入力信号に対応して開閉器を操作するなどの主機能処理と復電時再起動のための処理が行われる。
【００１１】
ＲＡＭとＥＥＰＲＯＭには、復電時再起動設定の情報と現在の開閉器のＯＮ・ＯＦＦ情報が記憶される。このＥＥＰＲＯＭには、ＯＮ・ＯＦＦ状態を記憶するために１番目から４０番目までの書込みスペースが用意されている。それぞれの書込みスペースは、１バイトの情報を書き込むことができ、その半分は属性記憶領域であり、他の半分は開閉器のＯＮ・ＯＦＦ状態を記憶する状態記憶領域である。属性記憶領域には２種類のビットパターン（例えば、０１０１と１０１０であり、以下の説明はこの例を使用して行う。）が書き込まれるようになっている。また、状態記憶領域にはＯＮとＯＦＦとで異なる２種類のビットパターン（例：ＯＮは００００、ＯＦＦは１１１１）が書き込まれるようになっている。
【００１２】
書込み処理は、図3を参照して、復電時再起動の設定が加えられているとき、まず１番目のスペースに属性記憶領域にいずれかのビットパターン（例：０１０１）が、状態記憶領域にＯＦＦのビットパターン（１１１１）が書き込まれる。次に、ＯＮ信号が入力されるとＲＡＭにその信号が記憶されると共に、ＭＣ制御Ｒｙを励磁させ開閉器をＯＮにし、さらに、ＥＥＰＲＯＭの２番目のスペースの属性記憶領域に１番目のスペースのビットパターン（０１０１）と同じビットパターンが、状態記憶領域にＯＮを示すビットパターン（００００）が書き込まれる。次に、ＯＦＦ信号が入力されると、ＲＡＭにその信号が記憶されると共に、ＭＣ制御Ｒｙの励磁を消滅させ開閉器をＯＦＦにし、さらに、ＥＥＰＲＯＭの３番目のスペースの属性記憶領域に２番目のスペースのビットパターン（０１０１）と同じビットパターンが、状態記憶領域にＯＦＦを示すビットパターン（１１１１）が書き込まれる。以下同様に、ＯＮ・ＯＦＦ信号が入力される毎に、３番目のスペース、４番目のスペース、・・・・３９番目のスペース、４０番目のスペースの順番に、順次、属性とＯＮ・ＯＦＦの状態が書き込まれる。このとき４０番目のスペースまでは属性記憶領域は同じパターンが書き込まれ、４０番目に書き込んだ後次のＯＮ・ＯＦＦ信号が入力されると、書込みスペースを１番目のスペースに戻すと共に属性のビットパターンをもう一方のもの（１０１０）にして書換え処理をし、次に４０番目に書き込むまで同じ属性のパターンに書き換えていく。
【００１３】
このように、１番目から４０番目のスペースを循環して最新の状態が順次書き込まれ、属性は一巡する毎に切り換えられる。すなわち、状態記憶領域はＯＮ・ＯＦＦに対応したビットパターンが書き込まれるが、属性記憶領域に書き込まれるビットパターンは、全ての書込みスペースについて最初の１巡目は一方のパターン（０１０１）であり、２巡目は他方のパターン（１０１０）、３巡目は一方のパターン（０１０１）、・・・、（ｍ−１）巡目は他方のパターン（１０１０）、ｍ巡目は一方のパターン（０１０１）、・・・というように交互に異なるパターンが書き込まれる。したがって、図４に示されるように、例えばｎ番目の属性記憶領域のパターンが（０１０１）であり（ｎ＋１）番目のパターンが（１０１０）というように、ｎ番目と（ｎ＋１）番目のパターンが異なっているたきは、ｎ番目に記憶されているＯＮ・ＯＦＦ状態が最新の状態であることとなる。
【００１４】
図２のフロー図において、停電したのち復電したときの初期化処理において、停電直前の状態などをＥＥＰＲＯＭからＲＡＭに記憶させて復電時再起動の設定の有無を確認し、設定があったときそれらの記憶を有効として、停電直前の状態がＯＮであったときは開閉器をＯＮにする指令を出す。停電直前の状態を読み込むためのフローが図５に示される。まず、１番目のスペースの属性（０１０１）を判定し、スペースの番号を１つだけ増加して、２番目のスペースの属性が１番目のスペースの属性と同一であるかどうかという判定を順次繰り返す。（ｎ＋１）番目のスペースの属性（１０１０）がｎ番目のスペースの属性と異なった場合は、開閉器がｎ番目のスペースにおいて記憶されている状態にあるとき停電が発生したことであるから、ｎ番目というスペース番号と属性とＯＮ・ＯＦＦ状態を記憶しておく。なお、１番目から４０番目まで属性が変化しなかった場合は、４０番目のスペースにおいて記憶されている状態にあるとき停電が発生したことであるから、４０番目というスペース番号と属性とＯＮ・ＯＦＦ状態を記憶しておく。
【００１５】
このような初期化処理の後、上述の記憶に基づいて、主処理フローにおいてＭＣ制御Ｒｙを励磁して開閉器をＯＮにする。次にＯＦＦ信号が入力されると、前回停電する直前の書込みスペース（ｎ番目）の次のスペース（（ｎ＋１）番目）の属性記憶領域にｎ番目のビットパターン（０１０１）と同じパターンが書き込まれ、状態記憶領域にはＯＦＦに相当するパターン（１１１１）が書き込まれる。以下、前述下図３のフローに基づいて書込みが続けられる。なお、復電後最初にＯＮされたとき、（ｎ＋１）番目のスペースにＯＮ情報を書き込むようにしてもよい。
【００１６】
以上のような処理をさせることにより、書込み寿命が１万回のＥＥＰＲＯＭを使用しても、４０万回の開閉操作に対して復電後の再起動動作をさせることができる。
【００１７】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００１８】
【発明の効果】
本発明は以上説明したような形態で実施され、停電が発生する直前の開閉器の開閉状態を記憶し、復電したとき開閉器を自動的に停電前の状態に操作できるため、例えば照明回路などの開閉器は復電後自動的にＯＮにすることができ、安全性を確保できるというような効果を奏する。
【図面の簡単な説明】
【図１】本発明による電磁操作式開閉器の実施例のコントローラの構成を示す図である。
【図２】実施例の概略動作フロー図である。
【図３】実施例の書込み動作のフロー図である。
【図４】実施例のＥＥＰＲＯＭに書き込まれた状態を説明する図である。
【図５】実施例の停電前の状態を読み込むフロー図である。
【図１】
0003775954.tif 000002
【図２】
0003775954.tif 000003
【図３】
0003775954.tif 000004
【図４】
0003775954.tif 000005
【図５】
0003775954.tif 000006